(57)【要約】【課題】太い枝等でも切断可能な手持ち式刈り取り機を提供する。【解決手段】電動トリマー１は、上刃１１と下刃２１を有するバリカン刃１０と、これに駆動力を供給して上刃１１、下刃２１を相対往復動させる動力供給装置と、動力供給装置に装着されたカバー本体部５０の前後に配設されたフロントハンドル５２及びリアハンドル５３を有してなる把手５１とを備える。上刃１１、下刃２１は、動力伝達機構の一部である電動モータからの駆動力を受けて回転動する偏心カム３９、４０と係合し、これらの偏心カム３９、４０の回転角度に応じて上刃１１及び下刃２１が前後方向に相対往復動する。下刃２１にはバリカン刃１０の幅方向外側に配置されてバリカン刃１０に沿って前側へ延びて刃先が外側へ向いたノコギリ刃７０が着脱自在に取り付けられ、バリカン刃１０にはカバー部材８０が着脱自在に装着される。【選択図】  図１
2004254629.tif 000002
【特許請求の範囲】
【請求項１】
上刃及び下刃が相対往復動可能なバリカン刃と、該バリカン刃に駆動力を供給して前記上刃及び前記下刃を相対往復動させる動力供給装置と、該動力供給装置に直接的又は間接的に連結された把手とを有し、該把手が把持され、前記動力供給装置からの動力供給により前記バリカン刃が駆動されて刈り取り作業が行なわれる手持ち式刈り取り機において、
前記動力供給装置からの動力供給により駆動される前記上刃及び前記下刃のいずれかに、刃先が前記バリカン刃の幅方向外側に向いて前記バリカン刃に沿うノコギリ刃が着脱可能に設けられていることを特徴とする手持ち式刈り取り機。
【請求項２】
前記バリカン刃には、前記ノコギリ刃を露出させたままで該バリカン刃を覆うカバー部材が着脱自在に装着されることを特徴とする請求項１に記載の手持ち式刈り取り機。
【発明の詳細な説明】
【０００１】
【発明の属する技術分野】
本発明は、手持ち式刈り取り機に関し、特に、上下２段に配設された上刃及び下刃が相対往復運動するバリカン刃を有した手持ち式刈り取り機に関する。
【０００２】
【従来の技術】
このような手持ち式刈り取り機には、駆動力を発生させるエンジンと、エンジンからの駆動力により駆動される動力伝達機構と、動力伝達機構を介して駆動されるバリカン刃と、動力伝達機構を覆う伝動ケースの前側及び後側に設けられたフロントハンドル及びリヤハンドルとを有して構成されているものがある（例えば、特許文献１参照）。
【０００３】
この手持ち式刈り取り機のバリカン刃は前後方向に延びて上下に配置された上刃及び下刃を有し、上刃及び下刃のそれぞれには幅方向外側に突出する刃体が前後方向に所定ピッチを有して多数形成されている。上刃及び下刃は動力伝達機構を介して相対往復運動をするように構成されて、上刃及び下刃の刃体が互いに接近動及び離反動する。このため、上刃及び下刃の前後方向に隣接する刃体間に枝葉等が挿入された状態でバリカン刃が駆動すると、互いに接近動する刃体により枝葉等が切断される。
【０００４】
【特許文献１】
特開平１０−３１３６８２号公報（第４頁、第１図）
【０００５】
【発明が解決しようとする課題】
しかしながら、切断される被切断物が太い枝等である場合、相対往復運動する上刃及び下刃の刃体間にこの太い枝が挿入されると、上刃及び下刃がロック状態になり、その結果、太い枝を切断することができないという不都合が生じる。また、駆動している上刃及び下刃が突然にロック状態にされると、これらを駆動するエンジンや動力伝達機構等が損傷する虞が生じるという問題が発生する。
【０００６】
本発明は、このような問題に鑑みてなされたものであり、被切断物が太い枝等である場合でもエンジンや動力伝達機構等を損傷させずに太い枝等を切断可能な手持ち式刈り取り機を提供することを目的とする。
【０００７】
【課題を解決するための手段】
上記目的を達成するために本発明に係わる発明は、上刃及び下刃が相対往復動可能なバリカン刃と、該バリカン刃に駆動力を供給して上刃及び下刃を相対往復動させる動力供給装置と、該動力供給装置に直接的又は間接的に連結された把手とを有し、該把手が把持され、動力供給装置からの動力供給によりバリカン刃が駆動されて刈り取り作業が行なわれる手持ち式刈り取り機（例えば、実施形態における電動トリマー１）において、動力供給装置からの動力供給により駆動される上刃及び下刃のいずれかに、刃先がバリカン刃の幅方向外側に向いてバリカン刃に沿うノコギリ刃が着脱可能に設けられる。
【０００８】
上記構成の手持ち式刈り取り機によれば、動力供給装置により駆動される上刃及び下刃のいずれかにノコギリ刃を着脱可能に設け、このノコギリ刃はバリカン刃に沿い、且つノコギリ刃の刃先がバリカン刃の幅方向外側に向くようにすることで、バリカン刃では切断できない太い被切断物にノコギリ刃の刃先を当接させてバリカン刃に動力を供給すると、ノコギリ刃がバリカン刃の延びる方向に往復動して太い被切断物を切断することができる。このため、ノコギリ刃を動力供給装置により駆動される上刃及び下刃のいずれかに接続するだけで、太い被切断物をも切断することが可能となり、切断可能な被切断物の対象範囲が拡大して、より使い勝手のよい手持ち式刈り取り機を提供することができる。
【０００９】
上記構成の手持ち式刈り取り機において、バリカン刃には、ノコギリ刃を露出させたままで該バリカン刃を覆うカバー部材が着脱自在に装着されるようにしてもよい。
【００１０】
上記構成の手持ち式刈り取り機によれば、バリカン刃を覆うカバー部材を設けることで、ノコギリ刃により被切断物を切断する場合、動力供給装置が駆動するとノコギリ刃のみならずバリカン刃も駆動する。このため、バリカン刃にカバー部材を装着すれば、ノコギリ刃により被切断物を切断する切断作業において、バリカン刃が被切断物の近くにある他の物に当接接触してもこれを切断し又は傷つける虞はなく、被切断物の周辺にある物の損傷を未然に防止することができる。
【００１１】
【発明の実施の形態】
以下、本発明の好ましい実施の形態を図１〜図３に基づいて説明する。なお、本実施の形態は、手持ち式刈り取り機の一例である電動トリマーについて説明する。なお、説明の都合上、図１（ａ）（正面図）及び図１（ｂ）（下面図）中の矢印が示す方向を、前後方向及び左右方向として、以下説明する。
【００１２】
電動トリマー１は、図１（ｂ）及び図２に示すように、上刃１１及び下刃２１が相対往復動可能なバリカン刃１０と、このバリカン刃１０に駆動力を供給して上刃１１及び下刃２１を相対往復動させるため電動モータ３１及び動力伝達機構３５を有してなる動力供給装置３０と、動力供給装置３０を覆うようにして装着された図１（ａ）に示すカバー本体部５０の前側及び後側に配設されたフロントハンドル５２及びリアハンドル５３を有してなる把手５１とを有して構成されている。カバー本体部５０の後端側には左右方向に貫通する操作孔５５が形成され、この操作孔５５の上方に前述したリアハンドル５３が前後方向に延びた状態で形成されている。
【００１３】
この電動トリマー１は、電動モータ３１を始動させた後、作業者の一方の手で図１（ａ）に示すフロントハンドル５２を持ち、他方の手でリアハンドル５３を持って、電動モータ３１の出力調整を適宜行いながらバリカン刃１０を駆動させて枝葉等の刈り取り作業を行うものである。
【００１４】
動力供給装置３０の一部を構成する電動モータ３１は、図２（内部構造図）に示すように、その駆動軸３２が下方へ向いた状態でカバー本体部５０内に配設され、電動モータ３１の下方に配設されたベアリング３３に駆動軸３２が挿通された状態で、電動モータ３１はカバー本体部５０内に固定保持されている。電動モータ３１は、リアハンドル５３の前側下部に上下に回動自在に設けられたスイッチ３４の操作に応じて電動モータ３１の駆動制御が行なわれるようになっている。ベアリング３３から下方へ延出する駆動軸３２の歯車部３２ａに動力伝達ギヤ３７が歯合している。
【００１５】
動力伝達ギヤ３７の下面から下方へ延出する回転中心軸３６には、これと同軸上に回転自在に嵌合された上下２段からなる一対の偏心カム３９、４０が設けられている。一対の偏心カム３９、４０は、図１（ｂ）（下面図）をさらに追加して説明すると、円形カムであり、動力伝達ギヤ３７を上下に挿通する固定ピン４１がさらに一対の偏心カム３９、４０を挿通して、一対の偏心カム３９、４０が動力伝達ギヤ３７に固定されている。このため、一対の偏心カム３９、４０は動力伝達ギヤ３７とともに回転動する。一対の偏心カム３９、４０はそれぞれの最大方向の半径が一直線状になるように配置されて動力伝達ギヤ３７に固定されている。なお、一対の偏心カム３９、４０の作動の詳細は後述する。
【００１６】
図１（ｂ）に示す一対の偏心カム３９、４０の下方にはカバー本体部５０の底面に開口する開口部５６を覆って前側へ延びる板状の基板６０がねじによりカバー本体部５０に取り付けられている。基板６０は開口部５６を覆う基板本体部６０ａと基板本体部６０ａの前端部から前側へ延びる基板先端部６０ｂとを有して構成され、基板先端部６０ｂの上部にはこれに沿って前後に延びる前述したバリカン刃１０が配設されている。バリカン刃１０は前後に延びる下刃２１及び上刃１１を有して構成され、下刃２１の上部に上刃１１が下刃２１に沿って載置され、上刃１１の上面には前後方向に延びる図３に示す固定板６３が載置されている。固定板６３の左右両端部には上方へ屈曲したフランジ部６３ａが形成されて、固定板６３の強度を増大させている。基板先端部６０ｂ及び図３に示す固定板６３には前後方向に所定間隔を有して配置された貫通孔（図示せず）が複数設けられ、下刃２１及び上刃１１にはこれらの貫通孔に対応して上下方向に連通して前後に延びる長孔（図示せず）が形成されている。この上下に連通した孔にボルト６５が挿通され、図３に示すように、固定板６３から上方へ突出したボルト６５の先端部にナット６６が螺合され、ボルト６５及びナット６６により下刃２１及び上刃１１が基板６０と固定板６３との間で前後方向に相対往復動可能に締め付けられている。
【００１７】
下刃２１は、図１（ｂ）に示すように、前後方向に延びる下刃本体部２２と、下刃本体部２２の左右両側面に左右方向に突出して形成された複数の刃体２３と、下刃本体部２２の後端部に形成された係合孔部２５とを有して構成されている。刃体２３は下刃本体部２２の先端部から後端側に前後方向に所定ピッチを有して形成され、刃体２３は平面視において三角形状であり、前側及び後側のそれぞれの傾斜面に刃面２３ａが形成されている。係合孔部２５は左右方向に延びる長孔であり、この長孔に偏心カム４０が係合し、偏心カム４０が長孔内を回転動すると、偏心カム４０の回転角度に応じて下刃２１が前後方向に往復運動する。
【００１８】
一方、上刃１１は下刃２１と同様の構成であるので、上刃１１は、下刃２１と同一態様部分については下刃２１に準じた符号を付してその説明を省略し、下刃２１と相違する点のみを説明する。上刃１１の刃体１３は、上刃１１の係合孔部（図示せず）が下刃２１の係合孔部２５と略一致した状態に位置すると、下刃２１の前後に形成された刃体２３間に上刃１１の刃体１３が位置するように、図３に示す上刃本体部１２の側面に形成されている。なお、上刃１１の刃体を１３で示し、刃面を１３ａで示す。また、偏心カム３９が回転動すると、上刃１１は下刃２１と逆方向に往復動する。その結果、一対の偏心カム３９、４０が回動すると、左右に隣接する上刃１１と下刃２１のそれぞれの刃体１３、２３が前後方向に接近動及び離反動して、刃体１３、２３間に挿入された枝葉等がこれらの刃体１３、２３によって切断される。
【００１９】
さて、下刃２１の下刃本体部２２に形成された複数の刃体２３のうち最も後端側に形成された刃体２３よりも後側の下刃本体部２２には、左側へ突出する突出片部２７が形成されている。この突出片部２７の先端部はバリカン刃１０の側部よりも外側へ突出し、この突出片部２７の先端部にバリカン刃１０に沿って前側へ延びるノコギリ刃７０がボルト、ナット等の締め付け治具７１により着脱可能に取り付けられている。ノコギリ刃７０は前後方向に延びるノコギリ本体部７２と、ノコギリ本体部７２の側面に前後方向に形成されたノコギリ刃部７３とを有して構成され、ノコギリ刃７０は、ノコギリ刃部７３が左側に向いた状態で突出片部２７に取り付けられている。このため、図２に示す電動モータ３１を駆動させて動力伝達機構３５を介して一対の偏心カム３９，４０を回転動させると、下刃２１の下刃本体部２２が前後方向に往復動し、ノコギリ刃７０も前後方向に往復運動する。このため、バリカン刃１０では切断できないような太い枝にノコギリ刃７０のノコギリ刃部７３の刃先を当接させて、図２に示す電動モータ３１を駆動させると、ノコギリ刃部７３が太い枝の側面上を前後方向に往復動して、太い枝を容易に切断することができる。
【００２０】
なお、ノコギリ刃７０の取り付け位置は下刃２１の左側に限るものではなく、下刃２１の右側、上刃１１の左側又は右側、及び上刃１１又は下刃２１の左右両側に着脱可能に取り付けてもよい。下刃２１の右側にノコギリ刃７０を取り付ける場合には下刃本体部２２の右側に突出片部２７を形成し、上刃１１の右側又は左側にノコギリ刃７０を取り付ける場合には上刃本体部１２の右側又は左側に突出片部２７を形成し、上刃１１又は下刃２１の左右両側にノコギリ刃７０を取り付ける場合には上刃本体部１２又は下刃本体部２２の左右両側に突出片部２７を形成する。
【００２１】
さて、図３に示すように、バリカン刃１０にはこれを先端側から着脱自在に装着可能なカバー部材８０が設けられている。カバー部材８０は先端部が開口して有底容器状であり、カバー部材８０の断面形状は矩形状に形成され、カバー部材８０の内部には上刃１１に対向する上側面８１及び下刃２１に対向する下側面８２が形成されている。上側面８１上の左右方向の中間部にはカバー部材８０の延びる方向に沿って延びて固定板６３のフランジ部６３ａと係合する係合凸部８３が形成され、下側面８２上には上刃１１と下刃２１を挟持する前述したボルト６５の頭部６５ａと係合する係合凹部８４が形成されている。このため、カバー部材８０をバリカン刃１０に装着させると、バリカン刃１０の上刃１１と下刃２１がカバー部材８０によって覆われるとともに、係合凸部８３が固定板６３と係合し且つボルト６５の頭部６５ａが係合凹部８４と係合して、カバー部材８０がバリカン刃１０に固定される。カバー部材８０がバリカン刃１０に固定されると、図１（ｂ）に示すように、カバー部材８０の内面はバリカン刃１０の刃体１３、２３と非接触状態になり、またカバー部材８０の外面はノコギリ刃７０と非接触状態になり、ノコギリ刃７０は外部に露出されたままの状態になる。
【００２２】
その結果、バリカン刃１０にカバー部材８０が装着された状態で、図３に示す電動モータ３１を駆動させてノコギリ刃７０により太い枝等が切断され場合、電動モータ３１が駆動するとノコギリ刃７０のみならずバリカン刃１０も駆動するが、バリカン刃１０にはカバー部材８０が装着されているので、バリカン刃１０自体がノコギリ刃７０で切断する太い枝等の周辺にある他の物に当接接触することはなく、周辺物を傷つける虞はない。このため、切断される太い枝等の周辺物の損傷を未然に防止することができる。
【００２３】
なお、係合凸部８３及び係合凹部８４はカバー部材８０の全長に渡って形成される必要はなく、係合凸部８３はカバー部材８０の長さ方向に所定間隔を有して複数形成し、係合凹部８４は、カバー部材８０がバリカン刃１０に装着されたときに、対応するボルト６５に係合するようにカバー部材８０の長さ方向に所定間隔を有して複数形成してもよい。また、カバー部材８０の上面及び下面が識別できるように、これらの面上に上面、下面を識別するための文字、図形、記号等を付してもよい。さらにカバー部材８０は、有底容器状に限らず、両端部が開口した角筒状に形成してもよい。また、カバー部材８０は、樹脂、プラスチック及びアルミニウム等を押し出し成形して形成されてもよい。
【００２４】
また、前述した実施の形態では、上刃１１と下刃２１がともに往復動するような構成を示したが、上刃１１及び下刃２１のいずれか一方が往復動し、いずれか他方が固定されたようにしてもよい。この場合、ノコギリ刃は往復運動する上刃１１又は下刃２１に接続させる。さらに、バリカン刃１０を駆動させる手段は、電動モータ３１に限るものではなく、エンジンでもよい。
【００２５】
【発明の効果】
以上説明したように、本発明に係わる手持ち式刈り取り機によれば、動力供給装置により駆動される上刃及び下刃のいずれかにノコギリ刃を着脱可能に接続し、ノコギリ刃はバリカン刃に沿い、且つノコギリ刃の刃先はバリカン刃の幅方向外側に向くようにすることで、バリカン刃では切断できない太い被切断物をノコギリ刃で切断することができる。このため、ノコギリ刃を動力供給装置により駆動される上刃及び下刃のいずれかに接続するだけで、太い被切断物をも切断することが可能となり、切断可能な被切断物の対象範囲が拡大して、より使い勝手のよい手持ち式刈り取り機を提供することができる。
【図面の簡単な説明】
【図１】本発明の一実施の形態に係わる電動トリマーを示し、同図（ａ）は電動トリマーの正面図であり、同図（ｂ）は電動トリマーの底面図である。
【図２】この電動トリマーの図１（ｂ）のＩ矢視に相当する部分の内部構造図を示す。
【図３】この電動トリマーの図１（ｂ）のＩ’矢視に相当する部分の内部構造図を示す。
【符号の説明】
１  電動トリマー（手持ち式刈り取り機）
１０  バリカン刃
１１  上刃
２１  下刃
３０  動力供給装置
５１  把手
７０  ノコギリ刃
８０  カバー部材
【図１】
2004254629.tif 000003
【図２】
2004254629.tif 000004
【図３】
2004254629.tif 000005